(57)【要約】      （修正有）【課題】噴霧器のポンプパイプ部材を結合台上にまとめて設置でき、集中設置の効果を達成し、しかもポンプの汲水管は、貯水ボックス内の水の雑質をろ過する機能を備えるミストファンのポンプパイプ部材結合台を提供する。【解決手段】ミストファンのポンプパイプ部材結合台であって、結合台３は、上下、前後に配列する上結合面、下結合面３０、３１を備え、２個の結合面３０、３１の隣接する位置には、連接板３２を連接し、下結合面３１の、上結合面３０に反対の端は、下方へと下スカート３３を延伸し、上、下結合面３０、３１には、穿孔或いは中空結合柱３４、３６を設置する。これにより噴霧器のポンプのパイプ部材を結合し、パイプ部材をまとめることができ、またポンプの汲水管１０１は、貯水ボックス中の水の雑質をろ過する機能を備える。【選択図】図５
0003191072.tif 000002
【実用新案登録請求の範囲】
【請求項１】
ミストファンのポンプパイプ部材結合台であって、結合台は、上下、前後に配列する上結合面、下結合面を備え、
前記２個の結合面の隣接する位置には、連接板を結合し、
前記上、下結合面には、中空結合柱、或いは結合孔を設置し、これにより貯水ボックスを通るポンプのパイプ部材をまとめられることを特徴とするミストファンのポンプパイプ部材結合台。
【請求項２】
前記下結合面の、前記上結合面に反対の端は、下方へと下スカートを延伸することを特徴とする請求項１に記載のミストファンのポンプパイプ部材結合台。
【請求項３】
前記ポンプのパイプ部材は、排気管、汲水管、液位管を備えることを特徴とする請求項１に記載のミストファンのポンプパイプ部材結合台。
【請求項４】
前記下結合面の結合柱は、汲水管と連接し、
前記結合孔は、排気管と挿入して接続し、
前記上結合面の結合柱は、液位管と挿入して接続し、
前記液位管内部には、液位コントローラーの電源コードを通し、噴霧器のコントロール回路と連接し、
前記液位コントローラーは、前記上結合面の下方に位置し、頂点端は、ネジヤマセクションにより、前記上結合面の結合柱に設置する内ネジ孔と螺合して固定することを特徴とする請求項３に記載のミストファンのポンプパイプ部材結合台。
【請求項５】
前記結合面の中空結合柱は、前記下結合面下方の相対端に位置する管口は、柵状孔で、  これにより、前記貯水ボックス内の雑質をろ過することができるため、水中の雑質が、前記汲水管を通りポンプ内に入ることを防止できることを特徴とする請求項４に記載のミストファンのポンプパイプ部材結合台。
【考案の詳細な説明】
【技術分野】
【０００１】
本考案はミストファンのポンプパイプ部材結合台に関し、特に噴霧器のポンプパイプ部材を結合台上にまとめて設置でき、集中設置の効果を達成し、しかもポンプの汲水管は、貯水ボックス内の水の雑質をろ過する機能を備えるミストファンのポンプパイプ部材結合台に関する。
【背景技術】
【０００２】
ファンに噴霧器を設置する際、噴霧器の噴霧ヘッドは、ファンのネット上に分散して配列される。
これにより、噴霧器が霧を噴霧すると、ファンが噴出す風がそれを拡散され、周囲の温度を低下させることができる。
【０００３】
上記した噴霧器のポンプは、パイプ部材と貯水ボックス内の水を行き来させる。
これにより、ポンプ起動時には、貯水ボックス内の水を汲水し、噴霧ヘッドから噴出することができる。
【０００４】
一般に、ポンプは貯水ボックス内のパイプ部材に連接し、少なくとも１個の排気管、汲水管、液位管を備える。
排気管は、ポンプ内に進入する空気を排出する。
汲水管は、貯水ボックス内の水を汲む。
液位管は、液位センサーの電線をその中に通して設置する。
【０００５】
上記した排気管、汲水管、液位管は、使用時には、貯水ボックスにおいてばらばらに位置し、持ち上げる際に不便で、また見た目が美しくない。
本考案は、従来のミストファンのポンプパイプ部材の上記した欠点に鑑みてなされたものである。
【考案の概要】
【考案が解決しようとする課題】
【０００６】
本考案が解決しようとする課題は、噴霧器のポンプパイプ部材を結合台上にまとめて設置でき、集中設置の効果を達成し、しかもポンプの汲水管は、貯水ボックス内の水の雑質をろ過する機能を備えるミストファンのポンプパイプ部材結合台を提供することである。
【課題を解決するための手段】
【０００７】
上記課題を解決するため、本考案は下記のミストファンのポンプパイプ部材結合台を提供する。
ミストファンのポンプパイプ部材結合台であって、結合台は、上下、前後に配列する上結合面、下結合面を備え、
該２個の結合面の隣接する位置には、連接板を結合し、
該下結合面の、該上結合面に反対の端は、下方へと下スカートを延伸し、
該上、下結合面には、穿孔或いは中空結合柱を設置し、
これにより、ポンプの各パイプ部材を通して或いは結合し、パイプ部材をまとめることができ、
しかも、ポンプの汲水管は、貯水ボックス中の水の雑質をろ過する機能を備える。
【考案の効果】
【０００８】
本考案のミストファンのポンプパイプ部材結合台は、噴霧器のポンプパイプ部材を結合台上にまとめて設置でき、集中設置の効果を達成し、しかもポンプの汲水管は、貯水ボックス内の水の雑質をろ過する機能を備える。
【図面の簡単な説明】
【０００９】
【図１】本考案実施形態の組合せ立体図である。
【図２】本考案実施形態の組合せ断面図である。
【図３】図２の３−３位置における断面図である。
【図４】本考案実施形態において結合台とパイプ部材との組合せ立体図である。
【図５】本考案実施形態において結合台とパイプ部材との分解図である。
【図６】本考案実施形態において結合台とパイプ部材とを結合後の俯瞰図である。
【図７】図６の７−７位置における断面図である。
【図８】図６の８−８位置における断面図である。
【考案を実施するための形態】
【００１０】
以下に図面を参照しながら本考案を実施するための最良の形態について詳細に説明する。
【００１１】
図１、２に示すように、本考案の噴霧器１は、ファン２と結合して使用する。
噴霧器１は、ポンプ１０、貯水ボックス１２、複数の噴霧ヘッド１３を備える。
【００１２】
ポンプ１０は、ハウジング１１内に設置する。
ハウジング１１は、ファン２の立管２０上に固定する。
【００１３】
貯水ボックス１２は、内部に水を充填する。
図３にあわせて示すように、ポンプ１０は、汲水管１０１、排気管１０２、液位管１０３を連接し、貯水ボックス１２内に入れる。
【００１４】
複数の噴霧ヘッド１３は、ファン２の前ファンネット２１上に平均に分布する。
噴霧ヘッド１３は、チューブ１３０とポンプ１０の出水管１０４と連接する。
【００１５】
応用時には、噴霧器１のポンプ１０は、貯水ボックス１２から吸水する。
水は、汲水管１０１を十英、ポンプ１０内に入り、さらに出水管１０４、噴霧ヘッド１３から霧状に噴出される。
霧状の水は、ファン２により送り出され、外へと拡散し、周囲の温度を低下させることができる。
上記した排気管１０２は、ポンプ１０内に入った空気を排出することができる。
液位管１０３には、液位コントローラー１０５の電源コードを通して設置することができる。
液位コントローラー１０５は、貯水ボックス１２内の水位をモニターすることができる。
【００１６】
図４〜８に示すように、本考案は、結合台３を備える。
結合台３は、ポンプ１０の汲水管１０１、排気管１０２、液位管１０３をまとめることができる。
結合台３は、上下、前後に配列する上結合面３０、下結合面３１を備える。
２個の結合面３０、３１の隣接する位置には、直立する連接板３２を連結する。
下結合面３１の、上結合面３０に反対の端は、下方へと下スカート３３を延伸する。
下結合面３１表面には、中空結合柱３４と結合孔３５を設置する。
上結合面３０表面には、内ネジ孔３６０を備える中空結合柱３６を設置する（図７参照）。
【００１７】
ポンプ１０の汲水管１０１は、貯水ボックス１２端に入り、結合台３の下結合面３１の結合柱３４と挿入して接続する。
排気管１０２は、貯水ボックス１２端に入り、結合台３の下結合面３１の結合孔３５内に進入する。
【００１８】
液位管１０３は、貯水ボックス１２端に入り、上結合面３０表面に設置する中空結合柱３６と挿入して接続する。
液位コントローラー１０５は、上結合面３０の下方に位置し、その電源コードは、液位管１０３内部を通り、コントロール回路と連接し、その頂点端は、ネジヤマセクション１０６により、上結合面３０の結合柱３６の内ネジ孔３６０と螺合して固定する。
【００１９】
ポンプ１０の、貯水ボックス１２間を通る各パイプ部材（汲水管１０１、排気管１０２、液位管１０３）は、結合台３により、一緒にまとめられ、持ち上げる際に便利で、また見た目が美しくなる。
【００２０】
結合面３１の中空結合柱３４は、下結合面３１下方の相対端に位置する管口３４０は、柵状孔である。
これにより、貯水ボックス１２内の雑質をろ過することができるため、水中の雑質が、汲水管１０１を通りポンプ１０内に入ることを防止することができる（図７、８参照）。
【００２１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【符号の説明】
【００２２】
１  噴霧器
２  ファン
１０  ポンプ
１１  ハウジング
２０  立管
１２  貯水ボックス
１０１  汲水管
１０２  排気管
１０３  液位管
１３  噴霧ヘッド
２１  前ファンネット
１３０  チューブ
１０５  液位コントローラー
３  結合台
３０  上結合面
３１  下結合面
３２  連接板
３３  下スカート
３４、３６  結合柱
３４０  管口
３５  結合孔
３６０  内ネジ孔
１０６  ネジヤマセクション
【図１】
0003191072.tif 000003
【図２】
0003191072.tif 000004
【図３】
0003191072.tif 000005
【図４】
0003191072.tif 000006
【図５】
0003191072.tif 000007
【図６】
0003191072.tif 000008
【図７】
0003191072.tif 000009
【図８】
0003191072.tif 000010